(57)【要約】      （修正有）【課題】電線に間隔をあけて取り付けられる複数の支持部材と、これら複数の支持部材との間に架け渡されたワイヤとにより構成される鳥害防止具の取付作業をスムーズに行うことができるようにする。【解決手段】電線１に沿ってスライド可能な電線収容管１１０と、把持部により把持可能なパイプ１３０と、ワイヤ４０を収容するワイヤ収容部１４０と、を備え、パイプ１３０に複数のワイヤ支持部材２０が把持部により把持することで取り付けられるとともに、ワイヤ収容部１４０に各ワイヤ支持部材２０の間を結ぶワイヤ４０が収容された状態の取付冶具１００を、電線１に取り付けた後、把持部により電線１を把持させてワイヤ支持部材２０を電線１に固定するステップと、取付冶具１００を電線１に沿ってスライドさせるステップと、を繰り返す。【選択図】図５
2011182704.tif 000002
【特許請求の範囲】
【請求項１】
電線を把持可能な把持部を有する複数の支持部材と、前記複数の支持部材の間に架け渡される線条体とにより構成される鳥害防止具を前記電線に取り付けるため冶具であって、
前記電線に沿ってスライド可能なスライド部材と、
前記スライド部材によって支持され、前記把持部により把持可能な棒状部材と、
前記スライド部材に設けられ、前記支持部材の間に前記線条体を収容可能な収容部と、
を備えることを特徴とする鳥害防止具の取付冶具。
【請求項２】
請求項１記載の鳥害防止具の取付冶具であって、
前記スライド部材は、筒状部材からなり、
内部に電線が収容されることで前記電線に沿ってスライド可能であることを特徴とする鳥害防止具の取付冶具。
【請求項３】
電線を把持可能な把持部を有する複数の支持部材と、前記複数の支持部材の間に架け渡される線条体とにより構成される鳥害防止具の取付方法であって、
前記電線に沿ってスライド可能なスライド部材と、前記スライド部材によって支持され、前記把持部により把持可能な棒状部材と、前記スライド部材に設けられ、前記支持部材の間に前記線条体を収容可能な収容部と、を備え、前記棒状部材に前記複数の支持部材が前記把持部により把持することで取り付けられるとともに、前記収容部に各支持部材の間を結ぶ前記線条体が収容された状態の取付冶具を、前記電線に取り付けた後、
前記棒状部材から一の前記支持部材を取り外し、当該一の支持部材を前記把持部により前記電線を把持させて前記電線に固定するステップと、
前記取付冶具を前記電線に沿ってスライドさせるステップと、を繰り返すことにより、前記鳥害防止具を前記電線に取り付けることを特徴とする鳥害防止具の取付方法。
【発明の詳細な説明】
【技術分野】
【０００１】
本発明は、鳥の飛来を防ぐべく、電線に取り付けられる鳥害防止具の取付冶具及び取付方法に関する。
【背景技術】
【０００２】
架空電線に鳥類が飛来すると、電機設備の事故や排泄物による公害の原因となるため、架空電線への鳥類の飛来を防止すべく、従来より、架空電線に鳥害防止具が取り付けられている。このような鳥害防止具としては、例えば、特許文献１、２に記載されているように、電線に間隔をあけて取り付けられる複数の支持部材と、これら複数の支持部材との間に架け渡されたワイヤとにより構成されるものが用いられている。なお、支持部材は、ナットを締め付けることにより開閉可能な把持部を備え、この把持部により電線を挟みこむことで、電線に固定する。また、ワイヤは支持部材に設けられたボルトに螺合するナットを締め付けることで、支持部材本体とナットとの間にワイヤを挟みこんで固定する。
【先行技術文献】
【特許文献】
【０００３】
【特許文献１】特開２００６―１７４７０８号公報
【特許文献２】特開２００９―３９０５５号公報
【発明の概要】
【発明が解決しようとする課題】
【０００４】
上記のような鳥害防止具を取り付ける際には、作業員は感電防止のための絶縁性を有するゴム手袋を着用して作業を行わなければならないので、例えば、電線に支持部材を取り付ける際のボルトの締め付けなどの細かい作業を行うのが困難である。また、高所でのボルトの締め付け作業を減らすため、予め、ワイヤを支持部材に取り付けておくことも考えられるが、作業中にワイヤが絡まる虞がある。
【０００５】
本発明は、上記の問題に鑑みなされたものであり、その目的は、電線に間隔をあけて取り付けられる複数の支持部材と、これら複数の支持部材との間に架け渡された線条体とにより構成される鳥害防止具の取付作業をスムーズに行うことができるようにすることである。
【課題を解決するための手段】
【０００６】
本発明の鳥害防止具の取付冶具は、電線を把持可能な把持部を有する複数の支持部材と、前記複数の支持部材の間に架け渡される線条体とにより構成される鳥害防止具を前記電線に取り付けるため冶具であって、前記電線に沿ってスライド可能なスライド部材と、前記スライド部材によって支持され、前記把持部により把持可能な棒状部材と、前記スライド部材に設けられ、前記支持部材の間に前記線条体を収容可能な収容部と、を備えることを特徴とする。
上記の鳥害防止具の取付冶具において、前記スライド部材は、筒状部材からなり、  内部に電線が収容されることで前記電線に沿ってスライド可能であってもよい。
【０００７】
また、電線を把持可能な把持部を有する複数の支持部材と、前記複数の支持部材の間に架け渡される線条体とにより構成される鳥害防止具の取付方法であって、前記電線に沿ってスライド可能なスライド部材と、前記スライド部材によって支持され、前記把持部により把持可能な棒状部材と、前記スライド部材に設けられ、前記支持部材の間に前記線条体を収容可能な収容部と、を備え、前記棒状部材に前記複数の支持部材が前記把持部により把持することで取り付けられるとともに、前記収容部に各支持部材の間を結ぶ前記線条体が収容された状態の取付冶具を、前記電線に取り付けた後、前記棒状部材から一の前記支持部材を取り外し、当該一の支持部材を前記把持部により前記電線を把持させて前記電線に固定するステップと、前記取付冶具を前記電線に沿ってスライドさせるステップと、を繰り返すことにより、前記鳥害防止具を前記電線に取り付けることを特徴とする。
【発明の効果】
【０００８】
本発明によれば、予め、支持部材に線条体を取り付けた状態で、鳥害防止具を取付冶具に取り付けることができるため、電線に鳥害防止具を取り付ける際に、支持部材に線条体を取り付ける作業を行う必要がない。このため、高所で高圧ゴム手袋を着用した状態で行う必要のある作業が減り、スムーズに取付作業を行うことができる。また、線条体を収容部に収容しているため、予め、支持部材に線条体を取り付けておいても、線条体がからむことを防止できる。
【図面の簡単な説明】
【０００９】
【図１】鳥害防止具の構成を示す図である。
【図２】支持部材の構成を示し、（Ａ）は正面図、（Ｂ）は電線に取り付けられていない状態における側面図、（Ｃ）は電線に取り付けられた状態における側面図である。
【図３】本実施形態の鳥害防止具の取り付け方法で用いられる取付冶具を示す図である。
【図４】鳥害防止具を取付冶具に取り付けた状態を示す図である。
【図５】鳥害防止具の取り付け方法を説明するための図である。
【発明を実施するための形態】
【００１０】
以下、本発明の鳥害防止具の取付方法の一実施形態を図面を参照しながら詳細に説明する。
図１は、鳥害防止具１０の構成を示す図である。同図に示すように、鳥害防止具１０は、電線１に上方に向かって延びるように間隔をあけて取り付けられた複数のワイヤ支持部材２０と、これらの複数のワイヤ支持部材２０の間に架け渡されたワイヤ４０とにより構成される。
【００１１】
図２は、ワイヤ支持部材２０の構成を示し、（Ａ）は正面図、（Ｂ）は電線に取り付けられていない状態における側面図、（Ｃ）は電線に取り付けられた状態における側面図である。同図に示すように、ワイヤ支持部材２０は、電線を把持するための把持部３０と、把持部３０に接続された支持部２５と、支持部２５の先端に設けられたワイヤ固定部３１とを備える。
【００１２】
把持部３０は、中央に開口（不図示）を有する第１の把持部材２１と、第１の把持部材２１と上端部において回動可能に接続された第２の把持部材２２と、第１の把持部材２１の開口を貫通して、先端が第２の把持部材２２に回動可能に接続されたボルト２３と、ボルト２３の第１の把持部材２１からの突出部分に螺合するナット２４とにより構成される。かかる構成により、同図（Ｃ）に示すように、ナット２４をボルト２３に対して図中左側に移動する方向に回転させることで、第２の把持部材２２を第１の把持部材２１に対して回動させる。このようにして第１の把持部材２１と第２の把持部材２２との間を開いた状態で、これらの部材の間に電線１を配置し、再びナット２４を上記と逆向きに回転させて第１及び第２の把持部材２１，２２を綴じて電線１を両側から締め付けることで、把持部３０により電線１を把持し、ワイヤ支持部材２０を電線１に固定することができる。
【００１３】
ワイヤ固定部３１は、台座部２８と、台座部２８に固定されたボルト２６と、ボルト２６に螺合するナット２７とにより構成される。ワイヤ固定部３１は、ナット２７をゆるめた状態で、ナット２７と台座部２８との間にワイヤ４０を配置し、ナット２７を締め付けることで、ナット２７と台座部２８との間にワイヤ４０を挟みこむことにより、ワイヤ４０を固定することができる。
【００１４】
以下、上記説明した鳥害防止具１０を電線に取り付けるための取付冶具及びこの取付冶具を用いた取付方法を説明する。
図３は、本実施形態の鳥害防止具１０の取り付け方法で用いられる取付冶具１００を示す図である。同図に示すように、取付冶具１００は、円管状に形成された電線収容管１１０と、電線収容管１１０に間隔をあけて取り付けられた一対の支持部材１２０と、これら一対の支持部材１２０の上部に架け渡されたパイプ１３０と、一対の支持部材１２０の下部に取り付けられたワイヤ収容部１４０と、により構成される。
【００１５】
電線収容管１１０は、絶縁性を有する柔軟な樹脂製であり、下方に長手方向に延びる切込み１１０Ａが形成されている。このような部材としては、高圧架空配電線に取り付けられる防護管などを利用することができる。
【００１６】
支持部材１２０は、支持部材本体１２２と、支持部材本体１２２に取り付けられたパイプ固定部１２１とにより構成される。
支持部材本体１２２は、断面がＬ字型に形成された例えば、樹脂製の部材であり、一方の板状部１２２Ａの側面が略鉛直の状態で電線収容管１１０の側部に当接するとともに、他方の板状部１２２Ｂの下面が略水平の状態で電線収容管１１０の上部に当接するように電線収容管１１０に取り付けられている。
【００１７】
パイプ固定部１２１は、パイプ１３０に合わせた形状の開口を有する部材であり、支持部材本体１２２の他方の板上部１２２Ｂの上面に取り付けられており、開口内にパイプ１３０が嵌め込まれている。
【００１８】
まず、地上においてワイヤ４０に所定の間隔でワイヤ支持部材２０を取り付けて鳥害防止具１０を組み立てる。そして、図４に示すように、把持部３０により取付冶具１００のパイプ１３０を把持させることにより、ワイヤ支持部材２０を固定する。なお、ワイヤ４０のたるんだ部分は、ワイヤ収容部１４０内に収容する。
【００１９】
次に、電線収容管１１０の切り込み１１０Ａを通して電線１を内部に収容する。これにより、図５（Ａ）に示すように、取付冶具１００が電線１に沿ってスライド可能に電線１により保持される。
次に、図５（Ｂ）に示すように、パイプ１３０の一端側に取り付けられた支持部材１２０を取り外して、把持部３０により電線１に固定する。
【００２０】
次に、図５（Ｃ）に示すように、取付冶具１００を電線１に沿って移動させ、パイプ１３０に取り付けられた支持部材１２０を取り外し、電線１の図５（Ｂ）において取り付けた支持部材１２０との間に架け渡されたワイヤ４０にたるみが生じないような位置に、取り外した支持部材１２０を固定する。
【００２１】
このように、取付冶具１００を電線１に沿ってスライドさせる工程と、支持部材１２０をワイヤ４０にたるみが生じないように電線１に固定する工程と、を繰り返すことにより、図５（Ｄ）に示すように、鳥害防止具１０の取り付けが完了する。
【００２２】
以上説明したように、本実施形態によれば、予め、ワイヤ支持部材２０にワイヤ４０を取り付けた状態で、鳥害防止具１０の取り付け作業を行うことができるため、高所で電線１に鳥害防止具１０を取り付ける際に、ワイヤ支持部材２０にワイヤ４０を取り付ける必要がなく、把持部３０のナット２４の締め付け作業を行うのみでよい。このため、高所で高圧ゴム手袋を着用した状態で行う必要のある作業が減り、スムーズに取り付け作業を行うことができる。
【００２３】
また、鳥害防止具１０を取付冶具１００に取り付けた状態で、ワイヤ４０のたるんだ部分をワイヤ収容部１４０に収容することで、予め、ワイヤ支持部材２０にワイヤ４０を取り付けておいても、作業中にワイヤ４０が絡まることを防止できる。
【００２４】
なお、本実施形態では、鳥害防止具１０のワイヤ支持部材２０がナット２４を締め付けることにより電線１を把持する構成の把持部３０を備えた場合について説明したが、把持部３０の構成はこれに限られず、電線１を把持することにより、電線１に固定可能な構成であれば本発明を適用できる。
【００２５】
また、害防止具１０のワイヤ固定部３１の構成として、ナット２７を締め付けることにより、ナット２７と台座部２８とによりワイヤ４０が挟みこむことでワイヤ４０を固定する構成のものについて説明したが、これに限らず、ワイヤ４０を固定可能な構成であれば本発明を適用できる。
【００２６】
また、取付冶具１００のパイプ１３０を把持部３０により把持させることで、パイプ１３０にワイヤ支持部材２０を取り付けることとしたが、これに限らず、把持部３０により把持可能な棒状部材であれば、パイプ１３０に代えて用いることができる。
【００２７】
また、取付冶具１００は、電線収容管１１０内に電線１を収容することで、電線１に沿ってスライド可能であるが、これに代えて、例えば、フックなどを電線１に引っ掛ける構成などを採用することもでき、要するに、電線に沿ってスライド可能であれば構成は問わない。
【符号の説明】
【００２８】
１０  鳥害防止具                        ２０  ワイヤ支持部材
２１  第１の把持部材                    ２２  第２の把持部財
２３  ボルト                            ２４  ナット
２５  支持部                            ２６  ボルト
２７  ナット                            ２８  台座部
３０  把持部                            ３１  ワイヤ固定部
４０  ワイヤ                            １００  取付冶具
１１０  電線収容管                      １２０  支持部材
１２１  パイプ固定部                    １２２  支持部材本体
１３０  パイプ                          １４０  ワイヤ収容部
【図１】
2011182704.tif 000003
【図２】
2011182704.tif 000004
【図３】
2011182704.tif 000005
【図４】
2011182704.tif 000006
【図５】
2011182704.tif 000007